(57)【要約】【課題】  より広い範囲の方向からの標準電波を受信できる電波修正時計を提供すること。【解決手段】  アンテナ５Ａ，５Ｂの軸線を外装ケース１の筒軸方向に略平行な方向に配置する。また、分針用のステッピングモータ４３Ａの駆動コイル４３１Ａと、時針用のステッピングモータ４３Ｂの駆動コイル４３１Ｂとを標準電波を受信するアンテナ５Ｃ，５Ｄと兼用して、外装ケース１の筒軸方向に略直交する方向に、かつ駆動コイル４３１Ａ，４３１Ｂが互いに略直交する方向に配置する。アンテナ５Ａ，５Ｂ，５Ｃ，５Ｄが互いに略直交する三方向のいずれか一方向に沿ってそれぞれ配置されているので、標準電波がどの方向から進行する場合でも、これらのアンテナ５Ａ，５Ｂ，５Ｃ，５Ｄのいずれか一つまたは複数で良好に標準電波を受信できる。【選択図】  図１
2005084037.tif 000002
【特許請求の範囲】
【請求項１】
時刻情報を含む標準電波を受信するアンテナと、
現時刻を計時するとともに前記アンテナにて受信された時刻情報に基づいて現時刻を修正する制御部と、
前記制御部にて計時される現時刻を表示する時刻表示手段とを備え、
前記アンテナは、少なくとも三つ設けられ、
三つの前記アンテナの軸線は、互いに略垂直に配置されていることを特徴とする電波修正時計。
【請求項２】
請求項１に記載の電波修正時計において、
ロータと、このロータを回転可能に支持するステータと、このステータに接続されるコイルとを有する駆動手段を備え、
前記アンテナの少なくとも一つは、前記コイルを備えて構成されることを特徴とする電波修正時計。
【請求項３】
請求項１または請求項２に記載の電波修正時計において、
筒軸方向の両端面のうち少なくとも一方が開口した筒形状の外装ケースと、
ロータ、このロータを回転可能に支持するステータ、およびこのステータに接続されるコイルを有する少なくとも二つの駆動手段とを備え、
前記アンテナのうち二つは、前記コイルをそれぞれ備えて構成され、
前記コイルの軸線は、前記外装ケースの筒軸方向に略垂直に配置され、かつ互いに略垂直に配置されていることを特徴とする電波修正時計。
【請求項４】
請求項２または請求項３に記載の電波修正時計において、
前記制御部は、前記アンテナが標準電波を受信する状態では、前記駆動手段の駆動を停止するように構成されていることを特徴とする電波修正時計。
【請求項５】
請求項１から請求項４のいずれかに記載の電波修正時計において、
筒軸方向の両端面のうち少なくとも一方が開口した筒形状の外装ケースを備え、
前記アンテナのうち少なくともいずれか一つの軸線は、前記外装ケースの筒軸方向に略平行であることを特徴とする電波修正時計。
【請求項６】
請求項１から請求項５のいずれかに記載の電波修正時計において、
筒軸方向の両端面のうち少なくとも一方が開口した筒形状の外装ケースと、
前記外装ケースの一方の端面側に設けられる蓋部とを備え、
前記時刻表示手段は、前記アンテナを間にして前記蓋部とは反対側で前記外装ケースの他方の端面側に設けられる時刻表示部を備え、
前記時刻表示部および前記蓋部の少なくともいずれか一方は、高透磁性金属材料で形成されていることを特徴とする電波修正時計。
【請求項７】
請求項１から請求項６のいずれかに記載の電波修正時計において、
筒軸方向の両端面のうち少なくとも一方が開口した筒形状の外装ケースを備え、
前記時刻表示手段は、指針および文字板を備え、
前記外装ケースには、前記文字板の１２時方向および６時方向に金属材料で構成されるバンドが設けられ、
前記アンテナのうち少なくとも一つの軸線は、前記文字板の３時と９時とを結ぶ線に略平行に配置され、
他の一つの前記アンテナの軸線は、前記バンドの側端部より外側に配置されていることを特徴とする電波修正時計。
【請求項８】
請求項１から請求項７のいずれかに記載の電波修正時計において、
前記アンテナは四つ設けられ、
これらのアンテナのうち三つは互いに略垂直に配置され、
残りの一つの前記アンテナの軸線は、前記三つのアンテナのうちもっとも短い前記アンテナの軸線に略平行に配置されていることを特徴とする電波修正時計。
【請求項９】
請求項１から請求項８のいずれかに記載の電波修正時計において、
筒軸方向の両端面のうち少なくとも一方が開口した筒形状の外装ケースを備え、
この外装ケースは金属材料で構成されていることを特徴とする電波修正時計。
【請求項１０】
請求項１から請求項９のいずれかに記載の電波修正時計において、当該電波修正時計に電力を供給する電池を備え、前記アンテナと前記電池との間には、非金属部材が配置されていることを特徴とする電波修正時計。
【請求項１１】
請求項１から請求項１０のいずれかに記載の電波修正時計において、前記アンテナは、互いに直列に接続されていることを特徴とする電波修正時計。
【請求項１２】
請求項１から請求項１０のいずれかに記載の電波修正時計において、前記アンテナは、互いに並列に接続されていることを特徴とする電波修正時計。
【発明の詳細な説明】
【技術分野】
【０００１】
本発明は、電波修正時計に関する。
【背景技術】
【０００２】
時刻情報が含まれた標準電波を受信して時刻修正を行う電波修正時計としては、時計ケース内部にアンテナが一つ配置されているものがある。（例えば、特許文献１）。この電波修正時計では、アンテナは、アンテナコアにコイルが巻き付けられた、いわゆるバーアンテナとなっており、アンテナコアに標準電波の磁力線が錯交するとコイルに誘起電圧が発生する。この誘起電圧によって標準電波を受信する。
このような構造のアンテナには、アンテナコアと標準電波の磁力線との方向が一致しているときには受信感度が良好となるが、それ以外の方向では受信感度が低下するという指向性がある。
【０００３】
【特許文献１】特開２００１−３３５７１号公報（第１図）
【発明の開示】
【発明が解決しようとする課題】
【０００４】
したがって、このような構造の電波修正時計では、配置されているアンテナの軸方向が標準電波の進入方向と略直交している場合には、標準電波を受信できるが、それ以外の方向では良好に受信できない場合がある。このため、電波受信の際には、標準電波の進入方向に応じて時計を配置する必要がある。特に携帯時計の場合では、電波受信の際には標準電波を受信できる方向に合わせて時計を置いておくという注意が必要となり、取扱が煩雑となる。
【０００５】
本発明の目的は、より広範囲の方向の電波を受信できる電波修正時計を提供することである。
【課題を解決するための手段】
【０００６】
本発明の電波修正時計は、時刻情報を含む標準電波を受信するアンテナと、現時刻を計時するとともにアンテナにて受信された時刻情報に基づいて現時刻を修正する制御部と、制御部にて計時される現時刻を表示する時刻表示手段とを備え、アンテナは、少なくとも三つ設けられ、三つのアンテナの軸線は、互いに略垂直に配置されていることを特徴とする。
【０００７】
この発明によれば、三つのアンテナの軸線が互いに略垂直に配置されているので、これら三方向のアンテナは、それぞれアンテナの軸線に略直交する方向から進入する電波を受信する。したがって、標準電波がどの方向から進入しても、少なくとも三つのアンテナのうちいずれか一つあるいは複数が標準電波を受信するので、従来と比較してより広範囲の方向の電波の受信が良好となり、受信性能が向上する。
ここで、アンテナの軸線が互いに略垂直に配置される場合としては、軸線が略直角に交わる場合や、一方の軸線を含む平面が他方の軸線に略直交する、いわゆるねじれの位置にある場合などを含む。またアンテナの軸線が互いに略垂直に配置されるとは具体的には、これらの軸線のなす角度が９０°程度となることをいい、例えば６０°以上１２０°以下であればよく、より望ましくは、７５°以上１０５°以下、さらに望ましくは８０°以上１００°以下であるとよい。
なお、たとえば電波修正時計が筒軸方向の両端面のうち少なくとも一方が開口した筒形状の外装ケースを備えている場合では、複数のアンテナが全て外装ケース内部に収納されていてもよいし、いずれか一つまたは複数が外装ケース外部に配置されていてもよい。また、アンテナの一部のみが外装ケース内部に配置されていてもよい。
【０００８】
本発明では、ロータと、このロータを回転可能に支持するステータと、このステータに接続されるコイルとを有する駆動手段を備え、アンテナの少なくとも一つは、コイルを備えて構成されることが望ましい。
この発明によれば、少なくとも一つのアンテナが駆動手段のコイルを備えているので、駆動手段はロータを回転させるとともに、時刻修正時にはコイルで標準電波を受信する。駆動手段のコイルがアンテナの機能を兼ねているので、部品点数が減少して電波修正時計の製造コストが低減する。また、これにより電波修正時計の省スペース化および小型化が促進される。
なお、駆動手段は、例えばアナログ時計の場合では指針の駆動機構や、デジタル時計の場合では振動によるアラーム機構、オルゴール機構など、電波修正時計の任意の機構の駆動手段として利用可能である。
【０００９】
本発明では、筒軸方向の両端面のうち少なくとも一方が開口した筒形状の外装ケースと、ロータ、このロータを回転可能に支持するステータ、およびこのステータに接続されるコイルを有する少なくとも二つの駆動手段とを備え、アンテナのうち二つは、コイルをそれぞれ備えて構成され、コイルの軸線は、外装ケースの筒軸方向に略垂直に配置され、かつ互いに略垂直に配置されていることが望ましい。
【００１０】
この発明によれば、二つの駆動手段のコイルがアンテナの機能を兼ねているので、電波修正時計の部品点数がより一層減少して製造コストが低減する。また電波修正時計の省スペース化、小型化がさらに一層促進される。
また、二つの駆動手段のコイルの軸線が外装ケースの筒軸方向に略垂直に配置されているので、外装ケースの筒軸方向の寸法が小さくなり、電波修正時計の薄型化が促進される。
【００１１】
本発明では、制御部は、アンテナが標準電波を受信する状態では、駆動手段の駆動を停止するように構成されていることが望ましい。
この発明によれば、駆動手段のコイルがアンテナの機能を兼ねている場合に、制御部がアンテナの標準電波受信状態で駆動手段の駆動を停止するので、コイルで受信する標準電波に駆動パルスが重畳するのが防止される。したがってコイルによる標準電波の受信が正確かつ確実となる。また、受信時にアンテナ周囲の磁界が駆動パルスによる電磁ノイズの影響を受けないので、アンテナでの受信が容易となり、電波受信の確実性が増す。
なお、駆動手段の駆動を停止させる方式としては、制御部から駆動パルスを出力しないものや、制御部とコイルとの電気的接続をスイッチなどで切断するものなど、任意のものが採用できる。特に、駆動パルスを出力しないことにより駆動手段の駆動を停止させる場合には、電波修正時計の消費電力が削減される。
【００１２】
本発明では、筒軸方向の両端面のうち少なくとも一方が開口した筒形状の外装ケースを備え、アンテナのうち少なくともいずれか一つの軸線は、外装ケースの筒軸方向に略平行であることが望ましい。
この発明によれば、少なくとも一つのアンテナの軸線が外装ケースの筒軸方向に略平行に配置されているので、アンテナ端部の少なくとも一方が外装ケースの開口面に対向することとなる。したがって、外装ケースの筒軸方向に略平行な方向から磁力線が進入すると、外装ケースの少なくとも一方の開口面からアンテナへ良好に磁力線が進入し、電波受信が良好となる。したがってアンテナの感度が良好となり時刻情報の取得がより正確となる。
ここで、アンテナの軸線が外装ケースの筒軸方向に略平行であるとは、アンテナの軸線と外装ケースの筒軸方向とがなす角度が０°程度のことをいい、例えば０°以上３０°以下であればよく、より望ましくは０°以上１５°以下、さらに望ましくは０°以上１０°以下であるとよい。
【００１３】
本発明では、筒軸方向の両端面のうち少なくとも一方が開口した筒形状の外装ケースと、外装ケースの一方の端面側に設けられる蓋部とを備え、時刻表示手段は、アンテナを間にして蓋部とは反対側で外装ケースの他方の端面側に設けられる時刻表示部を備え、時刻表示部および蓋部の少なくともいずれか一方は、高透磁性金属材料で形成されていることが望ましい。
この発明によれば、時刻表示部および蓋部の少なくともいずれか一方が高透磁性材料で構成されているので、アンテナの軸線上に高透磁性材料が配置されることとなる。高透磁性材料は、標準電波の磁界を引き寄せる作用があるので、アンテナの軸方向に存在する標準電波の磁界に加えて、軸方向近傍に存在する標準電波の磁界が高透磁性材料によって引き寄せられる。したがって、より多くの磁界がアンテナに錯交するので、アンテナの電波受信感度が向上する。なお、このときアンテナがアンテナコアにアンテナコイルが巻き回されて構成されている場合には、アンテナコアの端面が時刻表示部および蓋部のうち高透磁性材料で構成された部材の少なくとも一方に圧接されていることが望ましい。この場合には、アンテナコアと高透磁性材料が連続するため、高透磁性材料によって引き寄せられた磁界をアンテナコアにより良好かつ確実に導入できる。
また、時刻表示部および蓋部の少なくともいずれか一方が金属材料で構成されているので、電波修正時計が高級感ある外観となる。
【００１４】
本発明では、筒軸方向の両端面のうち少なくとも一方が開口した筒形状の外装ケースを備え、時刻表示手段は、指針および文字板を備え、外装ケースには、文字板の１２時方向および６時方向に金属材料で構成されるバンドが設けられ、アンテナのうち少なくとも一つの軸線は、文字板の３時と９時とを結ぶ線に略平行に配置され、他の一つのアンテナの軸線は、バンドの側端部より外側に配置されていることが望ましい。
この発明によれば、少なくとも一つのアンテナの軸線が文字板の３時と９時とを結ぶ線に略平行に配置されているので、アンテナの軸線がバンドに交差しない。つまり、標準電波が金属製のバンドにシールドされずに良好にアンテナ両端に到達するため、バンドが金属製であっても、このアンテナにおいて電波受信が良好かつ確実となる。
また、他の一つのアンテナの軸は、バンドの側端部より外側に配置されているので、アンテナ両端近傍に金属製のバンドが位置しない。したがって、このアンテナにおいても標準電波がアンテナ中心まで良好に到達して電波受信が良好かつ確実となる。
【００１５】
本発明では、アンテナは四つ設けられ、これらのアンテナのうち三つは互いに略垂直に配置され、残りの一つのアンテナの軸線は、三つのアンテナのうちもっとも短いアンテナの軸線に略平行に配置されていることが望ましい。
この発明によれば、互いに略垂直に配置された三つのアンテナの他に、もっとも短いアンテナの軸線に略平行となるように残りの一つのアンテナが配置されているので、この短いアンテナの軸方向に沿って配置されるアンテナの受信感度が向上し、短いアンテナの受信感度が補強される。例えば短いアンテナと残りのアンテナを直列に接続すれば、これらのアンテナで受信された信号が足し合わされるので、当該方向のアンテナの受信感度が向上する。
【００１６】
本発明では、筒軸方向の両端面のうち少なくとも一方が開口した筒形状の外装ケースを備え、この外装ケースは金属材料で構成されていることが望ましい。
この発明によれば、外装ケースが金属材料で構成されているので、電波修正時計の外観が高級感あるものとなり、外観が向上する。
【００１７】
本発明では、当該電波修正時計に電力を供給する電池を備え、アンテナと電池との間には、非金属部材が配置されていることが望ましい。
この発明によれば、アンテナと電池との間に非金属部材が配置されているので、電池によって標準電波がシールドされることなく良好にアンテナ両端に到達する。したがって、アンテナでの電波受信が良好となる。
【００１８】
本発明では、アンテナは、互いに直列に接続されていることが望ましい。
この発明によれば、複数のアンテナが互いに直列に接続されているので、それぞれが受信した標準電波による誘起電圧が弱い場合でも、これら複数の誘起電圧を足し合わせることによって必要な電圧が確保される。したがって例えば標準電波の進入方向がどのアンテナの方向とも完全には一致しない場合でも、それぞれのアンテナで発生した誘起電圧が足し合わされることにより、標準電波の受信が可能となる。これにより、アンテナの受信感度が向上する。
【００１９】
本発明では、アンテナは、互いに並列に接続されていることが望ましい。
この発明によれば、アンテナが互いに並列に接続されているので、いずれか一つまたは複数のアンテナで正確に受信された標準電波を用いて時刻修正を行うことが可能となり、標準電波を正確に受信できる確率が良好となる。
【発明を実施するための最良の形態】
【００２０】
以下、本発明の実施形態を図面に基づいて説明する。なお、後述する第二実施形態以降で、以下に説明する第一実施形態での構成部品と同じ部品および同様な機能を有する部品には同一符号を付し、説明を簡単にあるいは省略する。
【００２１】
〔第１実施形態〕
本発明の電波修正時計に係る第１実施形態について図１から図６を参照して説明する。
図１に第１実施形態の平面図を示し、図２に図1中のII-II線での断面図を示し、図３に図1中III-III線での断面図を示す。
この電波修正時計１００は、腕時計型であって、図１、図２、図３に示されるように、リング状（両端面が開口の短筒形状）の外装ケース１を備える。
外装ケース１は、各指針を駆動する歯車の軸線方向（例えば二番車４４４の軸線方向）である筒軸方向Ｌ1の両端面が開口したリング状の金属部材であって、例えば、黄銅、ステンレス鋼、チタン合金などによって形成されている。外装ケース１の厚みはリングの径に比べて小さいものであり、１０ｍｍ以下あるいは５ｍｍ以下に形成される。外装ケース１の外周で互いに反対位置に設けられた取付部１１、１２には、金属製のバンド１０１，１０２が取り付けられている。ここで、外装ケース１の中心点からみてバンド１０１，１０２のうち一方が設けられる方向を１２時方向とし、バンド１０１，１０２の他方が設けられる方向を６時方向とする。図１中では、上方（バンド１０１の方）を１２時方向とし、下方（バンド１０２の方）を６時方向とする。
【００２２】
外装ケース１の胴部を略４時方向から貫通して外部操作手段１３としての巻真１３１が設けられている。巻真１３１の一端は外装ケース１の外側に位置するとともに、この一端には竜頭１３２が設けられている。巻真１３１の他端は外装ケース１の内側に位置するとともに、この他端側にはカンヌキ１３３およびオシドリ１３４が設けられている。カンヌキ１３３は、ツヅミ車１３５と係合し、巻真１３１を引き出すことにより、オシドリ１３４、カンヌキ１３３を介してツヅミ車１３５が巻真１３１の軸方向に移動して針位置を修正したり、日車４５を修正できるように構成されている。
【００２３】
外装ケース１の一方の開口面側には図２、図３に示されるように、時刻表示手段２が設けられ、外装ケース１の他方の開口面には開口を閉じる裏蓋（蓋部）３が設けられている。
時刻表示手段２は、外装ケース１の筒軸方向Ｌ１（図１中で紙面垂直方向）に対して略直交する時刻表示面２１１を有する文字板（時刻表示部）２１と、この文字板２１上で回動する指針２２１、２２２とを備えて構成されている。
文字板２１は略円板状であって外装ケース１の開口面を閉じる面積を有する。文字板２１は高透磁性金属材料で構成されている。時刻表示面２１１は外部から視認可能に外方に向けて設けられ、時刻表示面２１１上の外縁寄りには時刻を表す数字（不図示）が円環状に印字されている。
【００２４】
指針は、分を示す分針２２１と、時を示す時針２２２とを備えて構成されている。指針２２１、２２２は両者とも黄銅、アルミニウム、ステンレス鋼等の金属材料で構成されている。分針２２１および時針２２２が文字板２１の略中心を回転軸として時刻表示面２１１上で回動され、時刻表示面２１１上の数字を指し示すことで時刻が示される。
指針２２１、２２２を間にして文字板２１と対向して風防２３が設けられている。風防２３は、外装ケース１の開口を塞ぐ面積を有する。風防２３は、非導電性かつ非磁性を有する光透過性部材で形成され、例えば、無機ガラスや有機ガラスで形成される。
裏蓋３は、文字板２１との間に所定間隔をもって対向して設けられ、外装ケース１の開口を閉じる面積を有する。裏蓋３は、高透磁性金属材料で構成されている。
【００２５】
外装ケース１の内側で文字板２１および裏蓋３の間には、計時機能を有するムーブメント４と、ムーブメント４を外装ケース１に止着するプラスチックの中枠１４と、ムーブメント４に電力を供給する電池４９と、時刻情報を含む標準電波（外部無線情報）を受信するアンテナ５Ａ，５Ｂ，５Ｃ，５Ｄとが設けられている。
【００２６】
ムーブメント４は、水晶振動子４１１を含む水晶振動子ユニット４１と、制御機能を有する回路ブロック（制御部）４２と、指針２２１、２２２を回動させるステッピングモータ（駆動手段）４３Ａ、４３Ｂと、ステッピングモータ４３Ａ、４３Ｂの動力を指針２２１、２２２に伝達する輪列４４と、日を示す日車４５と、輪列４４を外装ケース１の筒軸方向Ｌ１から挟持する地板４６および輪列受け４７とを備えて構成されている。
【００２７】
水晶振動子ユニット４１は、基準クロック用の水晶振動子４１１を備えている。また、標準電波の周波数（６０ｋＨｚ、４０ｋＨｚ）に同調する同調信号生成用の水晶振動子として６０ｋＨｚ用の水晶振動子４１２と４０ｋＨｚ用の水晶振動子４１３とが設けられている。同調信号生成用の水晶振動子４１２、４１３は略９時方向に配置されている。水晶振動子ユニット４１および回路ブロック４２は、略７時方向に配設されている。
図４に、水晶振動子ユニット４１および回路ブロック４２の機能ブロック図を示す。また、図５に、回路ブロック４２および駆動手段の構成ブロック図を示す。
回路ブロック４２は、アンテナ５Ａ，５Ｂ，５Ｃ，５Ｄで受けた標準電波を処理して時刻情報として出力する受信回路４２１と、受信回路４２１から出力された時刻情報を記憶する記憶回路４２２と、水晶振動子４１１からのクロックパルスで現時刻をカウントするとともに受信した時刻情報で現時刻を修正する中央制御回路４２３と、ステッピングモータ４３Ａ、４３Ｂを駆動するモータ駆動回路４２８と、指針位置を検出する針位置検出回路４２９と、ステッピングモータ４３Ａ，４３Ｂに対して受信回路４２１およびモータ駆動回路４２８の電気的接続状態を切り替えるスイッチ回路４０とを備えている。
【００２８】
受信回路４２１は、アンテナ５Ａ，５Ｂ，５Ｃ，５Ｄによって受信された標準電波を増幅する増幅回路、所望の周波数成分を抽出するフィルタ、信号を復調する復調回路、信号をデコードするデコード回路などを備えて構成されている。
記憶回路４２２は、受信回路４２１でデコードされた時刻情報を一旦記憶するとともに記憶した複数の時刻情報を対比して受信の成否を判断する。従って、アンテナ５Ａ，５Ｂ，５Ｃ，５Ｄ、受信回路４２１、および記憶回路４２２によって外部無線情報受信部４２０が構成されている。
中央制御回路４２３は、内部時刻を計時する内部時刻計時部４２５と、文字板２１の表示時刻と標準電波の時刻情報とを比較する時刻データ比較部４２６と、受信した時刻情報に従って現時刻カウンタのカウント値を修正する内部時刻修正制御部４２７と、受信回路４２１の受信スケジュールを記憶するとともに受信動作を制御する受信制御回路４２４とを備えている。
【００２９】
内部時刻計時部４２５は、発振回路、分周回路および現時刻をカウントする現時刻カウンタを備えている。時刻データ比較部４２６は、針位置検出回路４２９で検出された針位置から文字板２１に表示されている表示時刻を求めて標準電波による時刻情報とを比較して比較結果を内部時刻修正制御部４２７に出力する。また、受信制御回路４２４に記憶されている受信スケジュールとしては、午前２時から午前２時６分に受信動作を行う設定が行われる。受信制御回路４２４に対して外部操作手段１３による入力操作によって時刻情報の強制受信が指令された場合には、受信制御回路４２４からの出力信号により受信回路４２１で受信動作が実行される。
モータ駆動回路４２８は、中央制御回路４２３から指令されるタイミングでステッピングモータ４３Ａ、４３Ｂに駆動パルスを印加する。
針位置検出回路４２９は、指針（分針２２１、時針２２２）の針位置を検出して中央制御回路４２３に検出結果を出力する。中央制御回路４２３内において、針位置検出回路４２９からの検出結果と時刻カウンタのカウンタ値とが比較される。そして、この比較結果に基づいて指針位置をカウンタ値に一致させるモータパルスの出力がモータ駆動回路４２８に指令される。
【００３０】
スイッチ回路４０は、ステッピングモータ４３Ａ，４３Ｂと受信回路４２１との電気的接続状態を切り替える第一スイッチ手段４０１と、ステッピングモータ４３Ａ，４３Ｂとモータ駆動回路４２８との電気的接続状態を切り替える第二スイッチ手段４０２と、第一スイッチ手段４０１および第二スイッチ手段４０２の開閉動作を制御するスイッチ制御部４０３とを備えている。
第一スイッチ手段４０１は、ステッピングモータ４３Ａ，４３Ｂと受信回路４２１との間に設けられ、ステッピングモータ４３Ａ，４３Ｂおよび受信回路４２の電気的導通状態と電気的切断状態とを切り替える。このようなスイッチとしては、例えば機械的にスイッチ動作を行う機械スイッチや、ダイオードやトランジスタを用いた無接点スイッチなどが採用できる。
第二スイッチ手段４０２は、ステッピングモータ４３Ａ，４３Ｂとモータ駆動回路４２８との間に設けられ、ステッピングモータ４３Ａ，４３Ｂおよびモータ駆動回路４２８の電気的導通状態と電気的切断状態とを切り替える。
【００３１】
スイッチ制御部４０３は、受信制御回路４２４からの指令に応じて第一スイッチ手段４０１および第二スイッチ手段４０２の開閉を制御する。受信制御回路４２４から標準電波の受信開始がスイッチ制御部４０３に指令されると、スイッチ制御部４０３は、第一スイッチ手段４０１をＯＮ状態にして、第二スイッチ手段４０２をＯＦＦ状態にする。すなわち、ステッピングモータ４３Ａ，４３Ｂと受信回路４２１とを電気的に導通させ、ステッピングモータ４３Ａ，４３Ｂとモータ駆動回路４２８とを電気的に切断する。
また、受信制御回路４２４から受信回路４２１での受信処理動作を停止する指令がスイッチ制御部４０３に指令されると、スイッチ制御部４０３は、第一スイッチ手段４０１をＯＦＦ状態にして、第二スイッチ手段４０２をＯＮ状態にする。すなわち、ステッピングモータ４３Ａ，４３Ｂと受信回路４２１とを電気的に切断し、ステッピングモータ４３Ａ，４３Ｂとモータ駆動回路４２８とを電気的に導通させる。
【００３２】
駆動手段は、分針２２１を回転させる分針用のステッピングモータ４３Ａと、時針２２２を回転させる時針用のステッピングモータ４３Ｂとを備えている。
ステッピングモータ４３Ａ、４３Ｂは、モータ駆動回路４２８から供給される駆動パルスによって磁力を発生するとともに、標準電波を受信するアンテナ５Ｃ，５Ｄの役割を果たす駆動コイル（アンテナコイル、コイル）４３１Ａ、４３１Ｂと、この駆動コイル４３１Ａ、４３１Ｂによって励磁されるステータ４３２Ａ、４３２Ｂと、ステータ４３２Ａ、４３２Ｂに励磁される磁界により回転するロータ４３３Ａ、４３３Ｂとを備えている。
【００３３】
駆動コイル４３１Ａ，４３１Ｂは、第一スイッチ手段４０１を間にして受信回路４２１に接続されているとともに、第二スイッチ手段４０２を間にしてモータ駆動回路４２８に接続されている。第一スイッチ手段４０１がＯＮ状態であり、第二スイッチ手段４０２がＯＦＦ状態であるとき、駆動コイル４３１Ａ，４３１Ｂは、アンテナ５Ａ，５Ｂとともに標準電波の受信を行う。すなわち、駆動コイル４３１Ａ，４３１Ｂに錯交する標準電波の磁界成分に感応して標準電波の信号を受信し、受信した信号が第一スイッチ手段４０１を介して受信回路４２１に送られる。
また、第一スイッチ手段４０１がＯＦＦ状態であり第二スイッチ手段４０２がＯＮ状態であるとき、駆動コイル４３１Ａは分針２２１の駆動を、駆動コイル４３１Ｂは時針２２２の駆動を行う。すなわち、駆動コイル４３１Ａ，４３１Ｂに印加されるモータ駆動回路４２８からの駆動パルスを電磁変換して誘導磁界を発生させる。この誘導磁界はステータ４３２Ａ，４３２Ｂに伝達されてロータ４３３Ａ，４３３Ｂが回転される。ロータ４３３Ａ，４３３Ｂの回転は輪列４４により伝達されて分針２２１および時針２２２が回転駆動される。
【００３４】
また、駆動コイル４３１Ａ，４３１Ｂは、図示しないスイッチを介して直列に接続されており、標準電波を受信する際にはこのスイッチがＯＮ状態になり、図６に示されるように、アンテナ５Ａ，５Ｂとともに直列に接続される。そして、アンテナ５Ａ，５Ｂのアンテナコイル５２Ａ，５２Ｂ、および駆動コイル４３１Ａ，４３１Ｂで受信された標準電波は、直列に加算されて受信回路４２１に送られる。また、モータ駆動回路４２８から駆動パルスが印加される際には、スイッチがＯＦＦ状態となり、駆動コイル４３１Ａ，４３１Ｂが独立に駆動される。
【００３５】
なお、ステッピングモータ４３Ａの駆動コイル４３１Ａとステッピングモータ４３Ｂの駆動コイル４３１Ｂとはその軸線Ｘ，Ｙが外装ケース１の筒軸方向Ｌ１に略直交する面内に配置され、また平面配置において図１に示すように、軸線Ｘ，Ｙが互いに略直交する位置関係（各軸線Ｘ，Ｙが交差する角度αが約９０°）で配置されている。
ステッピングモータ４３Ａは略１１時方向でムーブメント４の外周に配置されている。ステッピングモータ４３Ｂは、略８時方向でムーブメント４の外周に配置されている。
【００３６】
輪列４４は、ロータ４３３Ａ、４３３Ｂの回転を指針２２１、２２２に向けて伝達し、ステッピングモータ４３Ａから分針２２１が接続された分針軸４４２と一体回転する二番車４４４へ繋がる分針用輪列４４Ａと、ステッピングモータ４３Ｂから時針２２２が接続された筒車４４１へ繋がる時針用輪列４４Ｂとを備えて構成されている。
日車４５は、外装ケース１の内方で、地板４６、輪列受け４７および日車押さえ４５１により保持されるとともに中央部が開口された歯車である。日車４５は非導電性かつ非磁性の部材で形成され、例えば、プラスチックや無機ガラス、紙材などで形成される。日車４５は、筒車４４１から繋がる輪列（不図示）に噛合され、筒車４４１の回転により所定の速度で回転される。日車４５には文字板２１に対向して日を表す文字が記されている（不図示）。なお、文字板２１には、日車４５の文字を外部から視認可能にする日窓２１２が略３時方向に開口形成されている。
【００３７】
地板４６は、文字板２１側において輪列４４を軸支し、輪列受け４７は裏蓋３側において輪列４４を軸支する。地板４６および輪列受け４７は、非導電性かつ非磁性の部材で形成され、例えば、プラスチックやセラミックスで形成される。
輪列４４、ステッピングモータ４３Ａ、４３Ｂ、回路ブロック４２が地板４６および輪列受け４７の間に挟まれて一体化されムーブメント４が構成されている。
中枠１４は外装ケース１の内周に沿ったリング状部材であって、ムーブメント４の周端面を囲んでいる。そして、この中枠１４によりムーブメント４が外装ケース１内に止着されている。中枠１４は、非導電性かつ非磁性の部材で形成され、例えば、プラスチックやセラミックスで形成される。
【００３８】
電池４９は、一次電池あるいは二次電池であり、その外缶ケースが金属部材で形成されている。電池４９は、略２時方向に配設され、略１時方向から略３時方向にわたって場所を占めている。この電池４９は、非金属材料で構成される保持ケース（図示せず）に収納されて外装ケース１内に固定されている。
【００３９】
アンテナは、前述の駆動コイル４３１Ａ（アンテナ５Ｃ）および駆動コイル４３１Ｂ（アンテナ５Ｄ）の他、アンテナ５Ａとアンテナ５Ｂとが設けられ、これらのアンテナ５Ａ，５Ｂはともに略５時方向に設けられている。アンテナ５Ａ，５Ｂは、ムーブメント４内に配置されている。アンテナ５Ａは外装ケース１の内周に近接して配置され、アンテナ５Ｂはアンテナ５Ａよりはムーブメント４の中央部寄りに配置されている。ただし、アンテナ５Ａと外装ケース１との間には中枠１４が位置しており、アンテナ５Ａと外装ケース１とは所定距離をもって離隔されている。
アンテナ５Ａ，５Ｂは、アンテナコア５１Ａ、５１Ｂとなる棒状のフェライト、純鉄、アモルファス金属などの高透磁率材にコイル（アンテナコイル）５２Ａ、５２Ｂが巻きまわされて形成され、図６に示すように、アンテナ５Ａのコイル５２Ａとアンテナ５Ｂのコイル５２Ｂとは、駆動コイル４３１Ａ，４３１Ｂとともに直列に接続されている。
【００４０】
アンテナ５Ａおよびアンテナ５Ｂは、それらの軸線Ｚ５Ａ、Ｚ５Ｂが外装ケース１の筒軸方向Ｌ１に略平行である。そして、アンテナ５Ａおよびアンテナ５Ｂの軸線Ｚ５Ａ、Ｚ５Ｂは、外装ケース１の開口面に設けられた文字板２１および裏蓋３に交差しており、その交差角度は約９０°である。アンテナ５Ａおよびアンテナ５Ｂの軸方向の長さは、地板４６と輪列受け４７との間隔と略同一程度である。なお、標準電波の受信時の磁気的な抵抗を低減するため、文字板２１および裏蓋３は、アンテナコア５１Ａ，５１Ｂと同じ材料で構成されていることが望ましい。
このような配置により、アンテナ５Ａ，５Ｂ、駆動コイル４３１Ａ（アンテナ５Ｃ）、駆動コイル４３１Ｂ（アンテナ５Ｄ）は、アンテナ５Ａの軸線Ｚ５Ａとアンテナ５Ｂの軸線Ｚ５Ｂとが互いに略平行に、またこれらのアンテナ５Ａ，５Ｂの軸線Ｚ５Ａ，Ｚ５Ｂと、アンテナ５Ｃの軸線Ｘ，アンテナ５Ｄの軸線Ｙが互いに略垂直に配置されている。
アンテナ５Ａの軸線上で文字板２１側には日車４５が交差している。
図１中の平面配置において、アンテナ５Ａ、５Ｂとステッピングモータ４３Ｂとの間には水晶振動子ユニット４１および回路ブロック４２が位置している。アンテナ５Ａ、５Ｂと電池４９との間には、外部操作手段１３が位置している。
【００４１】
このような構成を備える第１実施形態の動作について説明する。
水晶振動子４１１の発振を分周して生成された基準クロックにより時刻カウンタの現時刻が更新される。また、針位置検出回路４２９にて指針（分針２２１、時針２２２）の位置が検出され、検出結果は中央制御回路４２３に出力される。指針位置と時刻カウンタのカウンタ値とが比較され、比較結果に基づいてモータ駆動回路４２８を介してステッピングモータ４３Ａ、４３Ｂが駆動される。ステッピングモータ４３Ａ、４３Ｂの駆動によるロータ４３３Ａ、４３３Ｂの回転は輪列４４にて指針２２１、２２２に伝達され、指針２２１、２２２により時刻表示面２１１上の数字が指示されることにより、現時刻が表示される。
【００４２】
次に、標準電波の受信動作および標準電波の時刻情報に基づく時刻修正動作について説明する。
標準電波はアンテナ５Ａ，５Ｂ，５Ｃ，５Ｄのいずれか一つまたは複数で受信される。ここで、標準電波は電磁波であるところ、電波の進行方向に対して垂直方向に振動する電界変動と、電波の進行方向および電界変動に垂直方向に振動する磁界変動とからなる。そして、磁界変動がアンテナ５Ａ，５Ｂ，５Ｃ，５Ｄのコイル５２Ａ、５２Ｂ、駆動コイル４３１Ａ，４３１Ｂのいずれか一つまたは複数の開口から軸線に沿って通り抜けることでコイル５２Ａ，５２Ｂ、駆動コイル４３１Ａ，４３１Ｂのいずれかまたは複数に誘導電圧が生じ、標準電波の受信が行われる。
そこで、標準電波を受信する際は、アンテナ５Ａ，５Ｂ，５Ｃ，５Ｄのうち、その軸線が標準電波の進行方向に対して略垂直に向いているアンテナで受信する。すなわち、標準電波の進行方向に略直交する方向のアンテナの軸線に沿って磁界変動が錯交し、標準電波が受信される。標準電波を複数のアンテナで受信した場合には、アンテナ５Ａ，５Ｂ，５Ｃ，５Ｄが直列に接続されているので、それぞれのアンテナで受信した信号が直列に足し合わされて受信回路４２１に送られる。
【００４３】
受信制御回路４２４に設定された受信開始時刻である午前２時になると、受信制御回路４２４から受信回路４２１、モータ駆動回路４２８、およびスイッチ回路４０に受信動作開始の指令が出力される。あるいは、外部操作手段１３により、強制受信操作が入力されると、受信制御回路４２４から受信回路４２１、モータ駆動回路４２８、およびスイッチ回路４０に受信開始の指令が出力される。モータ駆動回路４２８は、受信制御回路４２４から信号を受けると駆動コイル４３１Ａ，４３１Ｂへの駆動パルスを停止する。スイッチ制御部４０３は、受信開始の指令を受けると、第一スイッチ手段４０１をＯＮ状態にし、第二スイッチ手段４０２をＯＦＦ状態にする。また、駆動コイル４３１Ａと駆動コイル４３１Ｂはアンテナ５Ａ，５Ｂとともに直列に接続される。この状態で、アンテナ５Ａ，５Ｂ，５Ｃ，５Ｄは標準電波の受信を行う。
受信回路４２１は、受信開始の指令を受けると、電池４９から電力供給を受けて、アンテナ５Ａ，５Ｂ，５Ｃ，５Ｄで受信された信号（時刻情報）のデコードを開始する。
デコードされた時刻情報は一旦記憶回路４２２に記憶されるとともに、複数回（例えば６回）の受信で得られた時刻情報を前後同士で比較して受信の正確さを判断する。正確に受信された時刻情報に従って時刻修正回路により時刻カウンタの現時刻が修正される。そして、時刻カウンタの時刻に従って針位置が修正され、受信時刻に従った時刻が示される。
【００４４】
受信動作が完了すると、受信制御回路４２４からモータ駆動回路４２８、スイッチ制御部４０３および受信回路４２１に受信完了の指令を出力される。受信回路４２１は受信完了の指令を受けて受信処理動作を終了し、スイッチ制御部４０３は、受信完了の指令を受けて第一スイッチ手段４０１をＯＦＦ状態にし、第二スイッチ手段４０２をＯＮ状態にする。また、駆動コイル４３１Ａと駆動コイル４３１Ｂとの接続が切断されて、それぞれが独立に駆動される。
【００４５】
このような第１実施形態によれば、次の効果を奏することができる。
（１）アンテナ５Ａ，５Ｂは、その軸線Ｚ５Ａ，Ｚ５Ｂが外装ケース１の筒軸方向Ｌ１に略平行に配置され、アンテナ５Ｃ，５Ｄは、その軸線Ｘ，Ｙが筒軸方向Ｌ１に略垂直に配置されている。そしてアンテナ５Ｃ，５Ｄはその軸線が互いに略直交するように配置されている。したがって、これらのアンテナ５Ａ，５Ｂと、アンテナ５Ｃと、アンテナ５Ｄとは、それぞれの軸線Ｘと，軸線Ｙと，軸線Ｚ５Ａ，Ｚ５Ｂとが互いに略垂直に配置されている。これにより、標準電波の進行方向がどの方向であってもいずれかのアンテナ５Ａ，５Ｂ，５Ｃ，５Ｄで標準電波を受信できる。よって外装ケース内にアンテナを一つ配置した従来の電波修正時計と較べてより広い範囲の方向の標準電波を良好に受信できる。
【００４６】
また、これにより標準電波受信の際に標準電波の進行方向に合わせてアンテナ５Ａ，５Ｂ，５Ｃ，５Ｄの向きを調整する必要がないので、電波修正時計１００の取扱性を向上させることができる。そして、アンテナ５Ａ，５Ｂ，５Ｃ，５Ｄを標準電波の進行方向に合わせる必要がないので、従来とは異なり電波修正時計１００を携帯している場合でも電波受信することも可能となる。
【００４７】
（２）アンテナ５Ａ，５Ｂの軸線Ｚ５Ａ，Ｚ５Ｂが外装ケース１の筒軸方向Ｌ１に略平行に配置されているので、外装ケース１の開口からなんら遮蔽されることなく標準電波の磁界が進入できる。したがって、アンテナ５Ａ，５Ｂの受信感度を向上させることができる。アンテナ５Ａ，５Ｂの受信感度を向上させることができるので、アンテナ５Ａ，５Ｂ自体を小型化しても十分な受信強度を確保することができる。そして、アンテナ５Ａ，５Ｂの小型化により電波修正時計１００を小型化することができる。
【００４８】
（３）ステッピングモータ４３Ａ，４３Ｂの駆動コイル４３１Ａ，４３１Ｂがアンテナ５Ｃ，５Ｄを兼ねているので、部品点数を低減できるから、外装ケース１内の省スペース化を促進でき、電波修正時計１００を小型化することができる。
また、スイッチ回路４０によって標準電波の受信時以外には第一スイッチ手段４０１がＯＦＦ状態で第二スイッチ手段４０２がＯＮ状態となる。すると、駆動パルスが受信回路４２１に流れず、駆動コイル４３１Ａ，４３１Ｂのみに印加される。したがって、駆動コイル４３１Ａ，４３１Ｂでの電磁変換量を正確に制御できるので、ロータ４３３Ａ，４３３Ｂの回転速度および回転周期を正確に制御することができ、指針２２１，２２２の運針を正確に制御することができる。
さらに、標準電波を受信しているときはモータ駆動回路４２８からの駆動パルスを停止するので、駆動コイル４３１Ａ，４３１Ｂに錯交する標準電波に駆動パルスが重畳することを確実に防止できる。その結果、標準電波の時刻情報を正確に受信することができる。また、無駄な駆動パルスを出力しないので、消費エネルギを低減することができる。これにより、電池４９の交換頻度を少なくでき、また電池４９を小さくすることにより電波修正時計１００の小型化を促進できる。
【００４９】
（４）裏蓋３および文字板２１が高透磁性材料で構成されているので、アンテナ５Ａ，５Ｂの軸線上にこれらの高透磁性材料を配置することができる。よって裏蓋３および文字板２１によって標準電波の磁界を引き寄せることができ、アンテナ５Ａ，５Ｂのコイル５２Ａ，５２Ｂにより多くの磁力線が錯交し、アンテナ５Ａ，５Ｂの受信感度を向上させることができる。
また、裏蓋３および文字板２１が金属材料で構成されているので、電波修正時計１００の外観に高級感を演出でき、外観を向上させることができる。
【００５０】
（５）外装ケース１を金属材料で構成することにより、高級感を演出することができ、電波修正時計１００の外観を向上させることができる。さらに、外装ケース１の筒軸方向Ｌ1からの標準電波をアンテナ５Ａ、５Ｂで受信することができるので、外装ケース１を金属材料で構成してもアンテナ５Ａ、５Ｂの受信感度に影響しない。
また、中枠１４が非導電性かつ非磁性の材料で構成されているので、この中枠１４によって金属製の外装ケース１とアンテナ５Ａ，５Ｂ，５Ｃ，５Ｄとの間に所定距離が形成される。したがって、外装ケース１が金属製であっても外装ケース１によって標準電波がシールドされることなく、アンテナ５Ａ，５Ｂ，５Ｃ，５Ｄで良好に標準電波を受信できる。
【００５１】
（６）平面配置において、アンテナ５Ａ、５Ｂと電池４９との間に巻真１３１が配置されている。外缶ケースが金属製の電池４９は、アンテナ５Ａ，５Ｂ，５Ｃ，５Ｄの電波受信に影響を及ぼす可能性があるところ、巻真１３１を介在させることで、アンテナ５Ａ、５Ｂ，５Ｃ，５Ｄとの距離を所定寸法以上に保つことができる。よって、電波受信への電池４９の影響を排除してアンテナ５Ａ、５Ｂ，５Ｃ，５Ｄの受信感度を向上させることができる。
また、電池４９が非金属性材料で構成される保持ケースに保持されているので、アンテナ５Ａ，５Ｂとの間、および駆動コイル４３１Ａとの間に非金属部材が配置される。よって、電池４９による標準電波のシールドを良好に防止でき、アンテナ５Ａ，５Ｂおよび駆動コイル４３１Ａで良好に標準電波を受信できる。
【００５２】
（７）風防２３、地板４６、輪列受け４７および日車４５が非導電性かつ非磁性の部材で形成されている。よって、外装ケース１の筒軸方向Ｌ1ではこれらの部材によって標準電波を遮蔽することがない。その結果、標準電波の磁界変動が外装ケース１の筒軸方向Ｌ1から外装ケース１内に進入することができ、アンテナ５Ａ、５Ｂの軸線Ｚ５Ａ、Ｚ５Ｂが外装ケース１の筒軸方向Ｌ1に略平行であるので、標準電波をアンテナ５Ａ、５Ｂで受信することができる。
【００５３】
（８）アンテナ５Ａ，５Ｂ，５Ｃ，５Ｄは直列に接続されている。よって、標準電波の磁界変動でアンテナ５Ａ，５Ｂ，５Ｃ，５Ｄに生じる誘導電圧を足し合わせることで、受信感度を高めることができる。
【００５４】
（９）ステッピングモータ４３Ａ、４３Ｂの駆動コイル４３１Ａ、４３１Ｂの軸線Ｘ，Ｙは互いに約９０度の角度をなして配置されている。よって、互いの磁束が干渉しにくく、ロータ４３３Ａ、４３３Ｂの回転制御にお互いが干渉しない。その結果、指針２２１、２２２が正確に運針される。
【００５５】
〔第二実施形態〕
次に、本発明の第二実施形態について説明する。
図７には、第二実施形態にかかる電波修正時計１００が示されている。この図７において、電波修正時計１００の指針は、時針２２２を有し、駆動手段も時針用のステッピングモータ４３Ｂを有する。なお、本実施形態では指針は第一実施形態と同様に分針を備えているが、分針およびその駆動輪列は図７においては図示を省略する。
【００５６】
アンテナは、軸線が外装ケース１の筒軸方向Ｌ１に略平行なアンテナ５Ａ，５Ｂと、筒軸方向Ｌ１に略垂直に配設されたアンテナ５Ｃと、アンテナ５Ｄの役割を果たすステッピングモータ４３Ｂの駆動コイル４３１Ｂとを備えている。アンテナ５Ａ，５Ｂは、それぞれ略１１時方向と略１時方向に配設されている。アンテナ５Ｃは、アンテナ５Ａ，５Ｂと同様に、アンテナコア５１Ｃとなる棒状のフェライト、純鉄、アモルファス金属などの高透磁率材にコイル（アンテナコイル）５２Ｃが巻き回されて形成されている。このアンテナ５Ｃは、略９時方向に配設され、アンテナコア５１Ｃの軸線Ｘが１２時と６時とを結ぶ線に略平行に配置されている。また、この軸線Ｘは、バンド１０１，１０２の側端部（短手方向端部）より外側に配置されている。
【００５７】
ステッピングモータ４３Ｂは、略６時方向に配設され、駆動コイル４３１Ｂの軸線Ｙが３時と９時とを結んだ方向に略平行に配置されている。
したがって、駆動コイル４３１Ｂの軸線Ｙと、アンテナ５Ｃの軸線Ｘとがなす角度αは、約９０°となっている。
すなわちアンテナ５Ａ，５Ｂは互いに略平行に配置され、そしてこれらのアンテナ５Ａ，５Ｂと、アンテナ５Ｃおよびアンテナ５Ｄは、互いに略垂直に配置されることとなる。
また、アンテナ５Ａ，５Ｂ，５Ｃのコイル５２Ａ，５２Ｂ，５２Ｃとアンテナ５Ｄの駆動コイル４３１Ｂとは、図８に示されるように、コイル５２Ａ，５２Ｂが直列に接続され、これらのコイル５２Ａ，５２Ｂと、駆動コイル４３１Ｂと、コイル５２Ｃとが互いに並列に接続されている。
【００５８】
このような第二実施形態によれば、第一実施形態の(１)〜(７)および(９)の効果と同様の効果が得られる他、次のような効果が得られる。
（１０）コイル５２Ａ，５２Ｂが直列に、そしてこれらのコイル５２Ａ，５２Ｂとコイル５２Ｃと、駆動コイル４３１Ｂとが並列に接続されているので、少なくともいずれか一つのアンテナ５Ａ，５Ｂ，５Ｃ，５Ｄで受信した標準電波の時刻情報で時刻修正を行うことができる。したがって、受信に成功する確率を向上させることができる。
また、外装ケース１の筒軸方向Ｌ１に略平行に配置されたアンテナ５Ａ，５Ｂが互いに直列に接続されているので、これらのアンテナ５Ａ，５Ｂで発生した誘起電圧を足し合わせることができる。したがって、アンテナ５Ａ，５Ｂの受信感度を高めることができる。これにより、アンテナ５Ａ，５Ｂを筒軸方向Ｌ１に薄型化する、あるいは小型化することができ、電波修正時計１００の薄型化、小型化を促進できる。
【００５９】
（１１）アンテナ５Ｄの軸線Ｙが３時と９時とを結ぶ線に略平行に配置されているので、金属製のバンド１０１，１０２の短手方向に略平行となり、軸線Ｙがバンド１０１，１０２と交差せず、アンテナコア５１Ｄ両端近傍にバンド１０１，１０２が配置されない。また、アンテナ５Ｃの軸線Ｘが１２時と６時とを結ぶ線に略平行に配置されているので、軸線Ｘがバンド１０１，１０２の長手方向に略平行となる。そして軸線Ｘがバンド１０１，１０２の側端部よりも外側に配置されているので、軸線Ｘがバンド１０１，１０２側端部に交差せず、アンテナコア５１Ｃ両端近傍にバンド１０１，１０２が配置されない。そしてアンテナ５Ａ，５Ｂの軸線Ｚ５Ａ，Ｚ５Ｂはバンド１０１，１０２の長手方向に略垂直に配置されているので、やはりバンド１０１，１０２に交差しない。したがって、アンテナ５Ａ，５Ｂ，５Ｃ，５Ｄがそれぞれバンド１０１，１０２に交差しない位置に配置されているので、バンド１０１，１０２による磁界への影響を最小限に抑制でき、良好に標準電波を受信できる。また反対に、このようなアンテナ５Ａ，５Ｂ，５Ｃ，５Ｄの配置により、電波受信に影響を及ぼすことなくバンド１０１，１０２を金属製にすることができ、電波修正時計１００の外観を向上させることができるとともに、適用できるバンド１０１，１０２の種類を増加させることができる。
【００６０】
なお、本発明は前述の実施形態に限定されるものではなく、本発明の目的を達成できる範囲での変形、改良等は本発明に含まれるものである。
第一実施形態では、互いに略垂直に配置されたアンテナ５Ａ，５Ｂ，５Ｃ，５Ｄのうち、二つがステッピングモータ４３Ａ，４３Ｂの駆動コイル４３１Ａ，４３１Ｂであったが、これに限らず、例えば第二実施形態のように一つのステッピングモータ４３Ｂの駆動コイル４３１Ｂのみがアンテナ５Ｄを兼ねているものであってもよいし、全てのアンテナがステッピングモータの駆動コイルと兼用となっていてもよい。
また、ステッピングモータの駆動コイルがアンテナを兼ねていない構造であってもよい。この場合には、少なくとも三つのアンテナを互いに略垂直に配置すれば、良好に標準電波を受信でき、本発明の目的を達成できる。なお、アンテナがステッピングモータの駆動コイルとは別に設けられている場合には、アンテナの受信性能および駆動コイルの駆動性能に応じてコイルの巻き数や線径などをそれそれ別個に設定できるので、使用条件に応じてより適切な受信性能および駆動性能を発揮できる。
【００６１】
駆動手段は、時刻表示手段の駆動に用いられるものに限らず、例えば振動によるアラーム機構や、オルゴール機構など、その他任意の機構の駆動手段として用いることができる。
時刻表示手段は、文字板および指針を有するアナログ式のものに限らず、電子表示パネルを有するデジタル式のものであってもよい。
【００６２】
文字板および蓋部は、高透磁性材料で構成されていたが、これに限らず非磁性の材料で構成されていてもよい。この場合には文字板および蓋部が標準電波の磁界に影響を与えないので、アンテナコイルに良好に磁力線が通り、標準電波を正確に受信できる。また、文字板および蓋部は、金属製であれば外観が向上するが、必ずしも金属製でなくてもよい。これら文字板および蓋部が非金属材料で構成される場合には、標準電波をシールドしないので、これらの部材の間に配置されるアンテナが良好に標準電波を受信できる。要するに、文字板および蓋部の少なくとも一方が高透磁性金属材料で構成されていればよい。
外装ケースは、金属製のものに限らず、任意の材料を採用できる。
【００６３】
電池とアンテナとの間には、非金属材料で構成される保持ケースが配置されていたが、これに限らず輪列や外部操作手段を非金属部材で構成して間に配置してもよい。また、電池とアンテナとの間には、必ずしも非金属材料が配置されていなくても、互いに所定寸法以上の距離を有していれば電池の外缶ケースによる標準電波のシールドの影響を最小限に抑制できるので、本発明の目的を達成できる。
【００６４】
前述の各実施形態では、アンテナ５Ａ，５ＢＢは外装ケース１の筒軸方向Ｌ１に略平行に配置され、コイル５２Ａ，５２Ｂの軸線Ｚ５Ａ，Ｚ５Ｂと筒軸方向Ｌ１とのなす角度は０°程度となっていたが、０°以上４５°以内であれば軸線Ｚが外装ケース１の開口端と交差してコイル５２Ａ，５２Ｂ端部から良好に標準電波を受信できる。
また、駆動コイル４３１Ａ，４３１Ｂは、互いの軸線Ｘ，Ｙのなす角度が９０°程度となっていたが、４５°以上１３５°以内であれば、筒軸方向Ｌ１に沿って進行する標準電波を駆動コイル４３１Ａ，４３１Ｂのいずれかあるいは両方で良好に受信できる。
【００６５】
アンテナは、互いの軸線が略直交するように配置されるものに限らず、一方の直線を含む平面が、他方の直線に略直交するように配置されていてもよい。つまりアンテナの軸線が互いにねじれの位置にあるものでもよい。
また、アンテナの軸線の配置方向は、一つの軸線が外装ケースの筒軸方向に略平行であるものや、二つの軸線が、外装ケースの筒軸方向に略直交する面内に配置されているものに限らない。またアンテナの数は、実施形態の四つに限らず、三つ以上であれば任意に選択してよい。要するにアンテナは、少なくとも三つのアンテナが互いに略垂直に配置されているものであればよい。したがって、四つ以上のアンテナを有する場合には、三つのアンテナを互いに略垂直に配置し、四つ目以上のアンテナはこれら三方向のいずれか一方向に沿って配置してもよいし、これら三方向とは異なる方向に配置してもよい。
【００６６】
図９および図１０に示されるようにアンテナの軸線が曲線状に湾曲している、あるいは一箇所または複数箇所折り曲げられることにより屈曲している場合には、アンテナの軸線方向は次のように定義される。
図９において、アンテナ５Ｅは、外装ケース１の筒軸Ｌ１を中心に円弧状に湾曲している。この場合にアンテナ５Ｅの軸線方向Ａは、アンテナコア５１Ｅの中点Ｃ、つまりアンテナコア５１Ｅの両端から円弧形状に沿って等距離の位置における接線となる。したがって、この軸線Ａが他の少なくとも二つのアンテナの軸線と互いに垂直になるように配置されていれば、あらゆる方向の電波を良好に受信できる。
【００６７】
また、図１０において、アンテナ５Ｅは、外装ケース１内で複数箇所（図１０では四箇所）折り曲げられており、それぞれの直線部分と外装ケース１の筒軸Ｌ１との距離が等しくなるように配置されている。このようなアンテナ５Ｅの軸線方向Ａは、アンテナコア５１Ｅの中点Ｃ、つまりアンテナコア５１Ｅの両端からそれぞれの直線部分の長手方向に沿って等距離の位置において、外装ケース１の中心と中点Ｃとを結んだ線に直交する方向となる。したがって、この軸線Ａが他の少なくとも二つのアンテナの軸線と互いに垂直になるように配置されていれば、あらゆる方向の電波を良好に受信できる。
【産業上の利用可能性】
【００６８】
本発明は、腕時計型の電波修正時計に利用できる他、置き時計型の電波修正時計などにも利用することができる。
【図面の簡単な説明】
【００６９】
【図１】本発明の第一実施形態にかかる電波修正時計を示す平面図。
【図２】図２のII-II断面図。
【図３】図２のIII-III断面図。
【図４】電波修正時計の機能ブロックを示す図。
【図５】電波修正時計の回路ブロックの構成を示す図。
【図６】第一実施形態におけるアンテナの接続を示す図。
【図７】本発明の第二実施形態にかかる電波修正時計を示す平面図。
【図８】第二実施形態におけるアンテナの接続を示す図。
【図９】本発明の電波修正時計の変形例を示す図。
【図１０】本発明の電波修正時計の別の変形例を示す図。
【符号の説明】
【００７０】
１…外装ケース、２…時刻表示手段、３…裏蓋、４…ムーブメント、５Ａ、５Ｂ、５Ｃ、５Ｄ…アンテナ、１３…外部操作手段、１４…中枠、２１…文字板（時刻表示部）、２３…風防、４１…水晶振動子ユニット、４２…回路ブロック（制御部）、４３Ａ、４３Ｂ…ステッピングモータ、４４…輪列、４５…日車、４６…地板、４７…輪列受け、４９…電池、５２Ａ，５２Ｂ，５２Ｃ…コイル（アンテナコイル）、１００…電波修正時計、２１１…時刻表示面、２２１…分針、２２２…時針、４１１…水晶振動子、４３１Ａ，４３１Ｂ…駆動コイル（アンテナコイル、コイル）。
【図１】
2005084037.tif 000003
【図２】
2005084037.tif 000004
【図３】
2005084037.tif 000005
【図４】
2005084037.tif 000006
【図５】
2005084037.tif 000007
【図６】
2005084037.tif 000008
【図７】
2005084037.tif 000009
【図８】
2005084037.tif 000010
【図９】
2005084037.tif 000011
【図１０】
2005084037.tif 000012